(57)【要約】【課題】  情報処理装置または情報処理装置に供えられた機器をメンテナンスする際に、別途入力機構を用意する必要の無い情報処理装置を提供する。【解決手段】  実施形態の情報処理装置は、情報処理部の操作面を被覆する蓋部を有する情報処理装置であって、前記蓋部は裏面に、前記情報処理装置への入力機構と、前記入力機構により入力された情報を情報処理部へ送信する送信部と、を具備し、前記情報処理部は、前記送信部からの情報を受信する受信部を具備している。【選択図】図３
2018005689.tif 000002
【特許請求の範囲】
【請求項１】
情報処理部の操作面を被覆する蓋部を有する情報処理装置であって、
前記蓋部は裏面に、前記情報処理装置への入力機構と、前記入力機構により入力された情報を情報処理部へ送信する送信部と、を具備し、
前記情報処理部は、前記送信部からの情報を受信する受信部を具備している、
情報処理装置。
【請求項２】
前記入力機構はキーボード機構を有しており、
前記蓋部は通風孔を有し、前記操作面を被覆しているとき、前記情報処理部への通風機能を有している、
請求項１に記載の情報処理装置。
【請求項３】
前記入力機構は物理的に打鍵が可能な複数の打鍵部を有し、
前記通風孔は、前記打鍵部の境界の交点部に設けられている。
請求項２に記載の情報処理装置。
【請求項４】
前記入力機構は物理的に打鍵が可能な複数の打鍵部を有し、
前記複数の打鍵部は互いに離間して配置されており、
前記通風孔は、前記打鍵部間に設けられている。
請求項２に記載の情報処理装置。
【請求項５】
前記入力機構は前記キーボード機構を光学的に表示する投影部と、前記投影部への入力を位置情報として読み取るセンサ部とを有する、
請求項２に記載の情報処理装置。
【請求項６】
前記送信部および前記受信部はＵＳＢ接続部を有しており、有線通信により前記ＵＳＢ接続部を介して情報を送受する、
請求項１乃至請求項５のいずれか１項に記載の情報処理装置。
【請求項７】
前記送信部は無線による送信機を有し、
前記受信部は無線による受信機を有し、
前記送信部と前記受信部とは無線通信により情報を送受する、
請求項１乃至請求項５のいずれか１項に記載の情報処理装置。
【請求項８】
前記無線通信はBluetooth方式である、請求項７に記載の情報処理装置。
【請求項９】
前記入力機構はキーボード機構、マウス機構、トラックボール機構の少なくともいずれか１つを有する請求項１乃至請求項８のいずれか１項に記載の情報処理装置。 
【発明の詳細な説明】
【技術分野】
【０００１】
本発明の実施形態は、情報処理装置に関する。
【背景技術】
【０００２】
従来、産業システムの分野で使用されるコンピュータ（以下、情報処理装置と称する）はラックなどに実装されることから、メンテナンスを考慮して、ハードディスクドライブ（以下、ＨＤＤと称する）や冷却ファン、バッテリなどの寿命品が情報処理装置の前面から交換することができるようにしている。そして、ＨＤＤ、冷却ファン、バッテリなどをカバーするためフロントパネルが設けられている。このフロントパネルはキーロック機構を有しており、キーロックを施錠することにより、不用意なボタン操作や、ＵＳＢを経由したデータ盗難およびウィルスの混入や、ＨＤＤの盗難を防ぐ。また、フロントパネルには開口部が設けられており、開口部と冷却ファンとによる外気の対流によりＨＤＤなどを冷却している。
【０００３】
産業システムの分野で使用される情報処理装置は、ラックなどに実装されるため、キーボードやマウスなどが接続されていない状態で運用されることが多い。このため、当該情報処理装置のメンテナンスを行う際は別途キーボード等を用意する必要が発生し手間を要する、キーボードの保管場所の確保をする必要が生じるなど、利便性の低下が問題となる。
【先行技術文献】
【特許文献】
【０００４】
【特許文献１】特開２００５−１９０３１６号公報
【発明の概要】
【発明が解決しようとする課題】
【０００５】
本発明が解決しようとする課題は、情報処理装置または情報処理装置に供えられた機器をメンテナンスする際に、別途入力機構を用意する必要の無い情報処理装置を提供することである。
【課題を解決するための手段】
【０００６】
上記課題を解決するため、実施形態の情報処理装置は、情報処理部の操作面を被覆する蓋部を有する情報処理装置であって、前記蓋部は裏面に、前記情報処理装置への入力機構と、前記入力機構により入力された情報を情報処理部へ送信する送信部と、を具備し、前記情報処理部は、前記送信部からの情報を受信する受信部を具備している。
【図面の簡単な説明】
【０００７】
【図１】第１の実施形態である情報処理装置の斜視図。
【図２】通風孔の構成の図。
【図３】蓋部の裏面の構成図と入力機構の図。
【図４】第１の実施形態である情報処理装置の各打鍵部の断面構造および打鍵部の基板の配線の図。
【図５】第１の実施形態である情報処理装置の変形例の図。
【図６】第２の実施形態である情報処理装置の蓋部の裏面および入力機構の図。
【図７】第２の実施形態である情報処理装置の各打鍵部の断面構造および打鍵部の基板の配線の図。
【図８】第２の実施形態である情報処理装置の入力機構の変形例の図。
【図９】第２の実施形態の変形例におけるの基板の配線の図。。
【図１０】第３の実施形態である情報処理装置の蓋部の裏面および入力機構の図。
【図１１】第３の実施形態の蓋部の入力機構、投影部、センサ部の正面図。
【図１２】第３の実施形態である情報処理装置の変形例の図。
【図１３】第４の実施形態である情報処理装置の蓋部の裏面の図。
【図１４】入力機構の変形例の図。
【図１５】情報処理装置の蓋部の変形例の図。
【発明を実施するための形態】
【０００８】
以下、情報処理装置の実施形態を図面に基づき説明する。
【０００９】
（第１の実施形態）
図１は第１の実施形態の情報処理装置１００の外観の斜視図である。図１（ａ）は筐体１０にフロントパネル（以下、蓋部と称する）２０を装着したときの情報処理装置１００の斜視図である。蓋部２０には通風孔２１とキーロック２２と電源ボタン用小窓２３とＵＳＢ接続部用小窓２４とを有している。
【００１０】
図１（ｂ）は情報処理装置１００から蓋部２０を取り外したときの斜視図である。情報処理装置１００は情報処理部（以下、筐体１０と称する）と蓋部２０とからなる。情報処理装置１００の筐体１０のフロント部には光学ドライブ３０とＨＤＤユニット３１と冷却ファン３２と電源ボタン３３とＵＳＢコネクタ部３４と電源の入力状態を示すランプなどを有している。以下、当該フロント部を情報処理装置１００の操作面とする。通常の動作時では操作面は蓋部２０により被覆されている。
【００１１】
通風孔２１は情報処理装置１００の周囲の外気を筐体１０内部へと送り込むための孔である。通風孔２１の１つの孔は例えば図２のように複数の通風孔２１１を有している。通風孔２１を通った外気はＨＤＤユニット３１や、冷却ファン３２を介して、筐体内部を冷却する。
【００１２】
キーロック２２は蓋部２０と筐体１０の鍵穴３５を開閉するための錠である。キーロック２２と鍵穴３５とを施錠することにより、電源ボタン３３等の不用意なボタン操作や、悪意を持ってＵＳＢストレージをＵＳＢコネクタ部３４に接続することによるデータの盗難、ウィルスの侵入を防ぐ。また、キーロック２２を開錠することで、ＨＤＤユニット３１や冷却ファン３２など寿命品を操作面（フロント部）から交換することが可能となっている。
【００１３】
電源ボタン用小窓２３、ＵＳＢ接続部用小窓２４は開放することで操作面にある電源ボタン３３、ＵＳＢコネクタ部３４を操作することができる。電源ボタン３３の操作やＵＳＢコネクタ部３４への接続の際に、蓋部２０の取り外しを望まないユーザ用の小窓である。
【００１４】
ただし、本実施形態および以下の実施形態において、電源ボタン用小窓２３、ＵＳＢ接続部用小窓２４、光学ドライブ３０およびＨＤＤユニット３１は必ずしも必須の構成要素として限定はされず、個数についても限定されない。冷却ファン３２、ＵＳＢコネクタ部３４の個数も限定されない。
【００１５】
図３（ａ）は蓋部２０の裏面の構成図であり、図３（ｂ）は蓋部２０の裏面に設けられた入力機構２５（キーボード、以下同じ）の図である。蓋部２０の裏面には光学ドライブ３０およびＨＤＤユニット３１に対応する位置に通風孔２１１が複数設けられ通風機能を有しており、さらに通風孔２１１と隣接する通風孔２１１との間に打鍵部が配置されるように入力機構２５が設けられている。本実施形態における入力機構２５は物理的に打鍵が可能なキーボード機構を有している。
【００１６】
情報処理装置１００は通風孔２１１の数が多く、広範囲に配置されていることで、筐体１０内部の外気を送風することが可能となる。本実施形態では、入力機構２５の打鍵部と隣接する打鍵部との境界の交点部に通風孔２１１を設けている。
【００１７】
蓋部２０の裏面には、送信部２６（２６１）が設けられている。送信部２６（２６１）は入力機構２５にて入力された情報を読み取り、筐体１０に送信するための機構である。
【００１８】
送信部２６（２６１）は一例として、ＵＳＢコネクタ部２６０を有しており、筐体１０のＵＳＢコネクタ部３４とＵＳＢケーブルにて接続することができる。これにより、入力機構２５にて入力された情報を、ＵＳＢケーブルを介して有線通信により、筐体１０内部のＣＰＵへ送信することが可能となる。
【００１９】
図３（ｂ）に入力機構２５の打鍵部と通風孔２１１との配置を示す。Ａ〜Ｚなどアルファベットが印字された打鍵部は上下左右に他の打鍵部と隣接して配置されている。このため、打鍵部の４つ頂点部近傍に通風孔２１１が設けられている。
【００２０】
図４（ａ）は各打鍵部の断面の構造であり、図４（ｂ）は打鍵部直下の基板の配線図である。打鍵部はキートップ２５１と弾性体２５２と圧電素子２５３と基板２５４とを有している。キートップ２５１は打鍵する際に指が接触する部位である。キートップを打鍵すると、弾性体２５２が押圧され、直下の圧電素子２５３を押圧する。圧電素子２５３が押圧されると基板２５４上の配線に電流が流れる。送信部２６（２６１）は電流を基に入力情報を読み取り、筐体１０に送信する。弾性体２５２は一例としてバネ、ゴム部材などがある。
【００２１】
図４（ｂ）は打鍵部直下の基板２５４の平面図である。基板２５４には通風孔２１１が形成されており、配線は通風孔によって断線されないように構成されている。この構造により通風孔２１１を有しつつ、物理的に打鍵が可能となる蓋部２０を実現することが可能となる。ただし、図４の打鍵部の構造は一例であり、これに限定はされない。
【００２２】
（第１の実施形態の変形例）
図５（ａ）は第１の実施形態の蓋部２０の変形例の図であり、送信部２６について変形を加えたものである。図５（ｂ）は第１の実施形態の情報処理装置１００の変形例の図である。本変形例の送信部２６（２６２）は無線通信機構を有した送信部である。そして、筐体１０の内部には当該無線通信の受信部３６を有している。受信部３６は筐体１０の内部に位置するため、破線で示している。受信部３６は拡張カード（受信機）として、回路単体で筐体１０内部に設けられていても良く、また、マザーボード等に組み込まれていても良い。
【００２３】
送信部２６（２６２）と受信部３６とは、入力機構２５にて入力された情報を、無線通信により送信部２６（２６２）から筐体内部の受信部３６へと送受信することが可能である。無線通信の方式としてBluetooth（登録商標）方式などがある。
【００２４】
以上より、本実施形態の情報処理装置１００は、蓋部２０のキーロック２２が施錠され筐体１０に装着されているとき、入力機構２５に塞がれることなく通風孔２１１から筐体１０に外気を送り込むことが可能となる。情報処理装置１００のメンテナンスをするときは、蓋部２０のキーロック２２を開錠し、蓋部２０を筐体１０より脱離して、蓋部２０の裏面の入力機構２５をキーボード機構として使用することができる。
【００２５】
（第２の実施形態）
本実施形態の情報処理装置（図示せず）について、筐体１０の構造、操作面（フロント部）の形態は第１の実施形態と同様である。
【００２６】
図６（ａ）は第２の実施形態の情報処理装置（図示せず）の蓋部２０の裏面の構成図である。図６（ｂ）は蓋部２０の裏面に設けられた入力機構２５の図である。
【００２７】
入力機構２５は物理的に打鍵が可能な複数の打鍵部を有しており、これらは互いに離間して配置されている、アイソレーションタイプのキーボードである。本実施形態の通風孔２１２は、入力機構２５の打鍵部間に設けられている。
【００２８】
蓋部２０の裏面には、送信部２６（２６１）が設けられている。送信部２６（２６１）は入力機構２５にて入力された情報を読み取り、筐体１０に送信するための機構である。
【００２９】
送信部２６（２６２）は一例として、ＵＳＢコネクタ部を有しており、筐体１０のＵＳＢコネクタ部３４とＵＳＢケーブルにて接続することができる。入力機構２５にて入力された情報を、ＵＳＢケーブルを介して筐体１０内部のＣＰＵへ送信することが可能となる。
【００３０】
図７は本実施形態における各打鍵部の断面構造および打鍵部の基板２５４の配線の図である。図６（ｂ）のように打鍵部の周囲に通風孔２１２を設けた場合は、圧電素子２５３から送信部２６（２６１）への配線ができないため、圧電素子２５３の近傍に送信機２５５を配置し、圧電素子２５３と配線する。送信機２５５は圧電素子２５３にて発生した電圧を受けると、押圧された打鍵部の情報を送信部２６（２６１、図示せず）に送信する。
【００３１】
また、図８の様に打鍵部の左右にのみ通風孔２１２を設けても良い。図９は図８の構成における打鍵部の基板２５４の配線の図となる。通風孔２１２は縦方向に形成されるため、配線は縦方向に並列に形成される。さらに、配線は入力機構２５の最上段にて横方向に曲がり、送信部２６（２６１、図示せず）へと延伸している。
【００３２】
送信部２６は第１の実施形態の変形例と同様に、無線通信の送信部であっても良い。筐体１０の内部には当該無線通信の受信部３６を有している。入力機構２５にて入力された情報を、無線通信により送信部２６から筐体内部の受信部３６へと送受信することが可能である。無線通信の方式としてBluetooth方式などがある。
【００３３】
以上より、本実施形態の情報処理装置は、蓋部２０のキーロック２２が施錠され筐体１０に装着されているとき、入力機構２５に塞がれることなく通風孔２１２から筐体１０に外気を送り込むことが可能となる。情報処理装置のメンテナンスをするときは、蓋部２０のキーロック２２を開錠し、蓋部２０を筐体１０より脱離して、蓋部２０の裏面の入力機構２５をキーボード機構として使用することができる。
【００３４】
（第３の実施形態）
本実施形態の情報処理装置（図示せず）について、筐体１０の構造、操作面（フロント部）の形態は第１の実施形態と同様である。
【００３５】
図１０（ａ）は第３の実施形態の情報処理装置（図示せず）の蓋部２０の裏面の構成図である。蓋部２０の裏面には投影部２７とセンサ部２８とを有しており、投影部２７は蓋部２０の裏面に入力機構２５を光学的に表示する。センサ部２８は投影された入力機構２５について、入力された打鍵部の位置情報を読み取る。
【００３６】
図１０（ｂ）は蓋部２０の裏面に設けられた入力機構２５の図である。投影部２７より表示された入力機構２５の各打鍵部は左下部（ctrlキー近傍）を原点としてｘ軸、ｙ軸により表される。ユーザが表示された入力機構２５の打鍵部に触れると、センサ部２８は触れた箇所の位置情報を読み取る。
【００３７】
図１１は本実施形態における蓋部２０の裏面に設けられた入力機構２５、投影部２７、センサ部２８の正面図、即ちｙ軸方向を奥行とした図である。
【００３８】
投影部２７の上部から入力機構２５の各打鍵部を光学的に表示される。センサ部２８は一例として、赤外線センサなどである。ユーザが光学的に表示された入力機構２５を指で触れた場合、センサ部２８の赤外線センサは指が触れた位置の情報を読み取ることで、打鍵部の情報を読み取る。
【００３９】
センサ部２８は一例として、撮像素子でも良い。センサ部２８はユーザが打鍵部に触れたときの状況を撮像し、撮像したデータを送信部２６（２６３）に送信する。送信部２６（２６３）は画像データを筐体１０に送信する。筐体１０は初期状態の入力機構２５の画像データを予め有しており、画像データの差分より、ユーザが触れた打鍵部の位置情報を読み取る。
【００４０】
ただし、センサ部２８について、赤外線センサ、撮像素子は一例であり、これに限定されない。
【００４１】
蓋部２０の裏面には、送信部２６（２６３）が設けられている。送信部２６（２６３）はセンサ部２８より読み取られた、ユーザが触れた入力機構２５の打鍵部の位置情報を、筐体１０に送信するための機構である。
【００４２】
送信部２６（２６３）は一例として、ＵＳＢコネクタ部を有しており、筐体１０のＵＳＢコネクタ部３４とＵＳＢケーブルにて接続することができる。入力機構２５についての位置情報を、ＵＳＢケーブルを介して筐体１０内部のＣＰＵへ送信することが可能となる。
【００４３】
また、図１２（ａ）のように蓋部２０のキーロック２２を開錠し、入力機構２５を表示する際、通風孔２１（図示せず）が位置する部分に板４０を配置しても良い。入力の際に板４０を配置することで、キーボード入力を容易にすることが可能となる。板４０は蓋部２０のキーロック２２を施錠している場合、即ち、蓋部２０が筐体１０に装着している場合は通風孔２１（図示せず）を塞がないように蓋部２０内に載置することができる。
【００４４】
また、送信部２６は第１の実施形態の変形例と同様に、無線通信の送信部であっても良い。筐体１０の内部には当該無線通信の受信部３６を有している。入力機構２５についての位置情報を、無線通信により送信部２６から筐体内部の受信部３６へと送受信することが可能である。無線通信の方式としてBluetooth方式などがある。
【００４５】
なお、本実施形態の情報処理装置は蓋部２０の裏面に入力機構２５を光学的に表示するため、通風孔の形状は限定しない。
【００４６】
以上より、本実施形態の情報処理装置は、蓋部２０のキーロック２２が施錠され筐体１０に装着されているとき、入力機構２５に塞がれることなく通風孔２１から筐体１０に外気を送り込むことが可能となる。情報処理装置のメンテナンスをするときは、蓋部２０のキーロック２２を開錠し、蓋部２０を筐体１０より脱離して、蓋部２０の裏面の入力機構２５をキーボード機構として使用することができる。
【００４７】
（第４の実施形態）
本実施形態の情報処理装置（図示せず）について、筐体１０の構造、操作面（フロント部）の形態は第１の実施形態と同様である。
【００４８】
図１３は第４の実施形態の情報処理装置（図示せず）の蓋部２０の裏面の構成図である。蓋部２０の裏面にはトラックボール４１（トラックボール機構）とタッチパッド４２（マウス機構）とを有している。トラックボール４１とタッチパッド４２とは入力機構の１つである。トラックボール４１とタッチパッド４２とは少なくともいずれかが蓋部２０の裏面に設けられていればよい。トラックボール４１とタッチパッド４２とはキーボード機構を有する第１の実施形態乃至第３の実施形態の情報処理装置の蓋部２０の裏面にさらに設けても良い。
【００４９】
図１４は入力機構２５の変形例の図である。図４の入力機構２５はテンキー２５６である。テンキー２５６は打鍵部と隣接する打鍵部との間、溝の交点に通風孔２１１を有している。
【００５０】
蓋部２０の裏面には、送信部２６（２６４）が設けられている。送信部２６（２６４）は入力機構２５の入力の情報の他、トラックボール４１の回転の情報、タッチパッド４２、テンキー２５６からの入力情報を読み取り、筐体１０に送信するための機構である。
【００５１】
送信部２６（２６４）は一例として、ＵＳＢコネクタ部を有しており、筐体１０のＵＳＢコネクタ部３４とＵＳＢケーブルにて接続することができる。入力機構２５の入力の情報の他、トラックボール４１の回転の情報、タッチパッド４２、テンキー２５６からの入力情報を、ＵＳＢケーブルを介して筐体１０内部のＣＰＵへ送信することが可能となる。
【００５２】
また、送信部２６は第１の実施形態の変形例と同様に、無線通信の送信部であっても良い。筐体１０の内部には当該無線通信の受信部３６を有している。入力機構２５についての位置情報を、無線通信により送信部２６から筐体内部の受信部３６へと送受信することが可能である。無線通信の方式としてBluetooth方式などがある。
【００５３】
以上より、本実施形態の情報処理装置は、蓋部２０のキーロック２２が施錠され筐体１０に装着されているとき、入力機構に塞がれることなく通風孔２１（図示せず）から筐体１０に外気を送り込むことが可能となる。情報処理装置のメンテナンスをするときは、蓋部２０のキーロック２２を開錠し、蓋部２０を筐体１０より脱離して、蓋部２０の裏面の入力機構を使用することができる。
【００５４】
また、以上の実施形態において、蓋部２０と筐体１０とは脱着できる方式としたが、これに限定はされない。図１５（ａ）のようにヒンジ５０により蓋部２０を開閉する情報処理装置でもよい。さらに図１５（ｂ）のように蓋部２０は筐体１０のフロント部の一部について開閉可能としてもよい。
【００５５】
また、蓋部２０には入力機構２５による入力を表示する液晶画面の表示部などを設けてもよい。
【００５６】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０‥‥筐体、
２０‥‥蓋部、
２１‥‥通風孔、
２２‥‥キーロック、
２３‥‥電源ボタン用小窓、
２４‥‥ＵＳＢ接続部用小窓、
２５‥‥入力機構、
２６‥‥送信部、
２７‥‥投影部、
２８‥‥センサ部、
３０‥‥光学ドライブ、
３１‥‥ＨＤＤユニット、
３２‥‥冷却ファン、
３３‥‥電源ボタン、
３４‥‥ＵＳＢコネクタ部、
３６‥‥受信部
４０‥‥板、
４１‥‥トラックボール（トラックボール機構）、
４２‥‥タッチパッド（マウス機構）。 
【図１】
2018005689.tif 000003
【図２】
2018005689.tif 000004
【図３】
2018005689.tif 000005
【図４】
2018005689.tif 000006
【図５】
2018005689.tif 000007
【図６】
2018005689.tif 000008
【図７】
2018005689.tif 000009
【図８】
2018005689.tif 000010
【図９】
2018005689.tif 000011
【図１０】
2018005689.tif 000012
【図１１】
2018005689.tif 000013
【図１２】
2018005689.tif 000014
【図１３】
2018005689.tif 000015
【図１４】
2018005689.tif 000016
【図１５】
2018005689.tif 000017